(57)【要約】【課題】紐状体の両端を容易に接続または分離することができる身飾品用留め具の提供。【解決手段】身飾品用留め具は、紐状体の一端に取り付けられた円環状の雌部材４と、紐状体の他端に取り付けられるとともに、雌部材４と篏合することによって、紐状体の両端を接続する雄部材５とを備えている。雌部材４は、自己の穴部を閉塞することなく自己の内縁の少なくとも一部に固定された弾性体としてのＯリング４３を備えている。雄部材５は、Ｏリング４３の弾性力に抗して雌部材４の穴部に圧入することによって、雌部材４と篏合する棒状体５３を備えている。【選択図】図４
0003212656.tif 000002
【実用新案登録請求の範囲】
【請求項１】
紐状体の両端を接続する身飾品用留め具であって、
前記紐状体の一端に取り付けられた環状の雌部材と、
前記紐状体の他端に取り付けられるとともに、前記雌部材と篏合することによって、前記紐状体の両端を接続する雄部材とを備え、
前記雌部材は、自己の穴部を閉塞することなく自己の内縁の少なくとも一部に固定された弾性体を備え、
前記雄部材は、前記弾性体の弾性力に抗して前記雌部材の穴部に圧入することによって、前記雌部材と篏合する棒状体を備えることを特徴とする身飾品用留め具。
【請求項２】
請求項１に記載された身飾品用留め具において、
前記弾性体は、環状に形成されるとともに、前記雌部材の内縁の全周に亘って設けられることを特徴とする身飾品用留め具。
【請求項３】
請求項２に記載された身飾品用留め具において、
前記棒状体は、
前記雌部材の内径よりも小さく、前記弾性体の内径よりも大きい外径を有する本体部と、
前記本体部における前記弾性体と当接する位置に形成された縮径部とを備えることを特徴とする身飾品用留め具。
【請求項４】
請求項２または請求項３に記載された身飾品用留め具において、
前記弾性体は、
前記雌部材に埋没させることによって、前記雌部材に固定された外環部と、
前記雌部材から突出する内環部とを備え、
前記内環部の突出量は、前記外環部の埋没量よりも小さいことを特徴とする身飾品用留め具。
【考案の詳細な説明】
【技術分野】
【０００１】
本考案は、紐状体の両端を接続する身飾品用留め具に関する。
【背景技術】
【０００２】
従来、金属製のチェーンなどの紐状体と、この紐状体の両端に取り付けられたクラスプと呼ばれる金属製の留め具とを備えたネックレスやブレスレットなどの身飾品が知られている。
例えば、特許文献１に記載された装身具（身飾品）は、ワイヤー（紐状体）と、このワイヤーの両端に取り付けられるとともに、ワイヤーの両端を接続する一対のクラスプ（留め具）とを備えている。
【０００３】
一対のクラスプのうち、一方のクラスプは、その一部に切り欠きを有する略円環状に形成されている。この一方のクラスプは、切り欠きを開放または閉塞する開閉部材を備えている。装身具の使用者は、この開閉部材を操作することによって、一方のクラスプを開閉することができる。
具体的には、装身具の使用者は、開閉部材を操作することによって、一方のクラスプを開放することができ、切り欠きを介して円環状の他方のクラスプを一方のクラスプに通した後、再び開閉部材を操作することによって、一方のクラスプを閉塞することができる。これによって、使用者は、一対のクラスプを接続することができ、ひいてはワイヤーの両端を接続することができるので、首や手首などに装身具を取り付けることができる。
【０００４】
また、装身具の使用者は、開閉部材を操作することによって、一方のクラスプを開放することができ、切り欠きを介して他方のクラスプを一方のクラスプから取り外した後、再び開閉部材を操作することによって、一方のクラスプを閉塞することができる。これによって、使用者は、一対のクラスプを分離することができ、ひいてはワイヤーの両端を分離することができるので、首や手首などから装身具を取り外すことができる。
【先行技術文献】
【特許文献】
【０００５】
【特許文献１】特開２０１６−８３０２５号公報
【考案の概要】
【考案が解決しようとする課題】
【０００６】
しかしながら、ネックレスやブレスレットなどの身飾品は、使用者の手や指と比較して小さいものが多く、これに伴って開閉部材も小さくなるので、使用者は、開閉部材を操作しにくくなる。したがって、使用者は、紐状体の両端を容易に接続または分離することができないという問題がある。
【０００７】
本考案の目的は、紐状体の両端を容易に接続または分離することができる身飾品用留め具を提供することである。
【課題を解決するための手段】
【０００８】
本考案の身飾品用留め具は、紐状体の両端を接続する身飾品用留め具であって、紐状体の一端に取り付けられた環状の雌部材と、紐状体の他端に取り付けられるとともに、雌部材と篏合することによって、紐状体の両端を接続する雄部材とを備え、雌部材は、自己の穴部を閉塞することなく自己の内縁の少なくとも一部に固定された弾性体を備え、雄部材は、弾性体の弾性力に抗して雌部材の穴部に圧入することによって、雌部材と篏合する棒状体を備えることを特徴とする。
【０００９】
このような構成によれば、身飾品用留め具は、紐状体の一端に取り付けられた環状の雌部材と、紐状体の他端に取り付けられるとともに、雌部材と篏合することによって、紐状体の両端を接続する雄部材とを備えている。そして、雄部材は、弾性体の弾性力に抗して雌部材の穴部に圧入することによって、雌部材と篏合する棒状体を備えているので、使用者は、雌部材の穴部に雄部材を圧入するだけで紐状体の両端を容易に接続することができる。また、雄部材は、雌部材の穴部に圧入されているので、この雄部材を圧入方向と反対側に引き抜くことによって、使用者は、紐状体の両端を容易に分離することができる。したがって、使用者は、紐状体の両端を容易に接続または分離することができる。
【００１０】
本考案では、弾性体は、環状に形成されるとともに、雌部材の内縁の全周に亘って設けられることが好ましい。
【００１１】
このような構成によれば、弾性体は、環状に形成されるとともに、雌部材の内縁の全周に亘って設けられているので、雌部材の弾性体と、雄部材との接触面積を大きくすることができる。したがって、身飾品用留め具は、弾性体を雌部材の内縁の全周に亘って設けていない場合と比較して紐状体の両端を強固に接続することができる。
【００１２】
本考案では、棒状体は、雌部材の内径よりも小さく、弾性体の内径よりも大きい外径を有する本体部と、本体部における弾性体と当接する位置に形成された縮径部とを備えることが好ましい。
【００１３】
このような構成によれば、雌部材の穴部に雄部材の棒状体を圧入した場合には、弾性体は、棒状体の縮径部に嵌り込むことになるので、身飾品用留め具は、紐状体の両端を更に強固に接続することができる。
【００１４】
本考案では、弾性体は、雌部材に埋没させることによって、雌部材に固定された外環部と、雌部材から突出する内環部とを備え、内環部の突出量は、外環部の埋没量よりも小さいことが好ましい。
【００１５】
このような構成によれば、弾性体の大部分となる外環部は、雌部材に埋没させることによって、雌部材に固定されているので、雌部材に弾性体を強固に固定することができる。したがって、雌部材の弾性体は、雄部材の棒状体の挿抜を繰り返しても雌部材から外れにくくなるので、身飾品用留め具は、紐状体の両端を安定して接続または分離することができる。
【図面の簡単な説明】
【００１６】
【図１】本考案の一実施形態に係るブレスレットの外観を示す斜視図
【図２】雌部材の三面図
【図３】雄部材の三面図
【図４】雌部材および雄部材を篏合させている状態を示す図
【図５】雌部材の製造装置を構成する上型の下面図および断面図
【図６】雌部材の製造装置を構成する下型の平面図および断面図
【図７】金型を閉じる前の状態を示す図
【図８】金型を閉じた後の状態を示す図
【図９】金型にスズを充填した状態を示す図
【図１０】本考案の変形例に係る雌部材の平面図
【考案を実施するための形態】
【００１７】
以下、本考案の一実施形態を図面に基づいて説明する。
図１は、本考案の一実施形態に係るブレスレットの外観を示す斜視図である。
ブレスレット１は、図１に示すように、紐状体としての金属製のチェーン２と、チェーン２の両端を接続する一対の身飾品用留め具３とを備えた身飾品である。
なお、本実施形態では、身飾品としてブレスレット１を採用しているが、ネックレスなどの他の身飾品を採用してもよい。また、本実施形態では、紐状体としてチェーン２を採用しているが、ワイヤーなどの他の紐状体を採用してもよい。
【００１８】
身飾品用留め具３は、チェーン２の一端に取り付けられた円環状の雌部材４と、チェーン２の他端に取り付けられるとともに、雌部材４と篏合することによって、チェーン２の両端を接続する雄部材５とを備えている。
なお、本実施形態では、雌部材４は、円環状に形成されているが、ハート形などの他の環状に形成されていてもよい。要するに、雌部材は、環状に形成されていればよい。
【００１９】
図２は、雌部材の三面図である。具体的には、図２は、雌部材４の平面図（右上図）、正面図（右下図）、および左側面図（左下図）を示す図である。
雌部材４は、図２に示すように、円環状に形成された金属製の円環部４１と、円環部４１の外周面の一部に円環部４１と一体的に形成されるとともに、チェーン２（図１参照）の一端に取り付けられる略円環状の取付部４２と、円環状に形成されるとともに、円環部４１の内縁の全周に亘って設けられたゴム製のＯリング４３とを備えている。
【００２０】
換言すれば、雌部材４は、自己の穴部を閉塞することなく自己の内縁の少なくとも一部に固定された弾性体としてのＯリング４３を備えている。
なお、本実施形態では、弾性体は、ゴム製のＯリング４３を採用したが、シリコン製のＯリングなどを採用してもよい。
【００２１】
図３は、雄部材の三面図である。具体的には、図３は、雄部材５の正面図（右上図）、下面図（右下図）、および左側面図（左上図）を示す図である。
雄部材５は、円盤状に形成された金属製の円盤部５１と、円盤部５１の外周面の一部に円盤部５１と一体的に形成されるとともに、チェーン２（図１参照）の他端に取り付けられる略円環状の取付部５２と、円盤部５１の略中心に円盤部５１と一体的に形成された棒状体５３とを備えている。
【００２２】
棒状体５３は、雌部材４の内径Ｄ１（図２参照）よりも小さく、Ｏリング４３の内径Ｄ２（図２参照）よりも大きい外径Ｄ３を有する本体部５３Ａと、本体部５３Ａの略中央位置にＯリング４３の形状と対応する形状に形成された縮径部５３Ｂとを備えている。
なお、本実施形態では、棒状体５３は、縮径部５３Ｂを備えているが、これを備えてなくてもよい。
【００２３】
図４は、雌部材および雄部材を篏合させている状態を示す図である。具体的には、図４（Ａ）は、雌部材４および雄部材５を篏合させる前の状態を示す図であり、図４（Ｂ）は、雌部材４および雄部材５を篏合させた後の状態を示す図である。
Ｏリング４３は、図４（Ａ）に示すように、円環部４１に埋没させることによって、円環部４１に固定された外環部４３Ａと、円環部４１から突出する内環部４３Ｂとを備えている。ここで、内環部４３Ｂの突出量Ｌ１は、外環部４３Ａの埋没量Ｌ２よりも小さくなっている。
なお、本実施形態では、内環部４３Ｂの突出量Ｌ１は、外環部４３Ａの埋没量Ｌ２よりも小さくなっているが、大きくなっていてもよく、同じになっていてもよい。
【００２４】
雌部材４および雄部材５を篏合させる場合には、使用者は、雌部材４の穴部の中心に雄部材５の棒状体５３の軸を位置させた後、雄部材５を雌部材４に向かって押し込む（図４（Ａ）矢印参照）。
これによって、雄部材５の棒状体５３は、図４（Ｂ）に示すように、Ｏリング４３の弾性力に抗して雌部材４の穴部に圧入されるので、雄部材５は、雌部材４と篏合する。この際、Ｏリング４３は、棒状体５３の縮径部５３Ｂと篏合することになる。したがって、棒状体５３の縮径部５３Ｂは、本体部５３ＡにおけるＯリング４３と当接する位置に形成されている。
【００２５】
以下、雌部材４の製造方法を図面に基づいて説明する。
図５および図６は、雌部材の製造装置を示す図である。ここで、図５は、雌部材の製造装置を構成する上型の下面図および断面図である。具体的には、図５（Ａ）は、上型８の下面図であり、図５（Ｂ）は、上型８のＡ−Ａ断面図である。また、図６は、雌部材の製造装置を構成する下型の平面図および断面図である。具体的には、図６（Ａ）は、下型９の平面図であり、図６（Ｂ）は、下型９のＢ−Ｂ断面図である。
製造装置６は、図５および図６に示すように、上型８および下型９を有する金型７と、この金型７にスズを充填する充填手段（図示略）とを備えている。
【００２６】
上型８は、図５に示すように、雌部材４の円環部４１を形成するための上型円環溝８１と、雌部材４の取付部４２を形成するための上型取付溝８２と、上型円環溝８１の中心に位置し、雌部材４の穴部を形成するための上型円柱部８３とを備えている。
ここで、上型円柱部８３の下面は、上型８の下面よりも深くなる位置に形成されている。
【００２７】
下型９は、図６に示すように、上型円環溝８１と組み合わさることによって、雌部材４の円環部４１を形成するための下型円環溝９１と、上型取付溝８２と組み合わさることによって、雌部材４の取付部４２を形成するための下型取付溝９２と、下型円環溝９１の中心に位置し、上型円柱部８３と組み合わさることによって、雌部材４の穴部を形成するための下型円柱部９３と、下型円環溝９１および下型９の側面を連通する２つの連通溝９４とを備えている。
【００２８】
ここで、下型円柱部９３の上面は、下型９の上面よりも高くなる位置に形成されている。そして、上型円柱部８３の下面および下型円柱部９３の上面は、上型８および下型９を組み合わせることによって、互いに当接するようになっている。
また、下型円柱部９３は、断面半円形状に窪むように形成された凹部９３Ａを備えている。この凹部９３Ａは、Ｏリング４３の形状と対応する形状となっている。
【００２９】
図７〜図９は、製造装置にて雌部材を製造する製造工程を示す図である。具体的には、図７は、金型７を閉じる前の状態を示す図である。図８は、金型７を閉じた後の状態を示す図である。図９は、金型７にスズを充填した状態を示す図である。
製造装置６にて雌部材４を製造する場合には、作業者は、図７に示すように、下型９の下型円柱部９３にＯリング４３をセットする。具体的には、作業者は、下型円柱部９３の凹部９３ＡにＯリング４３を嵌め込む。
【００３０】
その後、作業者は、図８に示すように、上型円柱部８３の下面および下型円柱部９３の上面を当接させるようにして上型８および下型９を合わせて金型７を閉じることによって（図中矢印参照）、金型７の内部に空間を形成する。
【００３１】
そして、作業者は、図９に示すように、充填手段にて下型９の連通溝９４を介して金型７の内部に形成された空間にスズＳを充填する。これによって、スズＳは、金型７の内部にセットされたＯリング４３の外環部４３Ａ（図４（Ａ）参照）を覆い、円環部４１およびＯリング４３を一体的に形成した雌部材４を製造することができる。
なお、本実施形態では、充填手段にて下型９の連通溝９４を介して金型７の内部に形成された空間にスズＳを充填しているが、スズＳ以外の他の金属を充填してもよい。
【００３２】
作業者は、金型７を冷却してスズＳを固化させた後、上型８および下型９を離して金型７を開けることによって、雌部材４を金型７から取り出す。なお、作業者は、連通溝９４を通ったスズＳを切断した後、バリ等を削って仕上げ加工を施すことによって、雌部材４の製造を終了する。
【００３３】
このような本実施形態によれば、以下の作用・効果を奏することができる。
（１）身飾品用留め具３は、チェーン２の一端に取り付けられた環状の雌部材４と、チェーン２の他端に取り付けられるとともに、雌部材４と篏合することによって、チェーン２の両端を接続する雄部材５とを備えている。そして、雄部材５は、Ｏリング４３の弾性力に抗して雌部材４の穴部に圧入することによって、雌部材４と篏合する棒状体５３を備えているので、使用者は、雌部材４の穴部に雄部材５を圧入するだけでチェーン２の両端を容易に接続することができる。また、雄部材５は、雌部材４の穴部に圧入されているので、この雄部材５を圧入方向と反対側に引き抜くことによって、使用者は、チェーン２の両端を容易に分離することができる。したがって、使用者は、チェーン２の両端を容易に接続または分離することができる。
【００３４】
（２）Ｏリング４３は、環状に形成されるとともに、雌部材４の内縁の全周に亘って設けられているので、雌部材４のＯリング４３と、雄部材５との接触面積を大きくすることができる。したがって、身飾品用留め具３は、Ｏリング４３を雌部材４の内縁の全周に亘って設けていない場合と比較してチェーン２の両端を強固に接続することができる。
（３）雌部材４の穴部に雄部材５の棒状体５３を圧入した場合には、Ｏリング４３は、棒状体５３の縮径部５３Ｂに嵌り込むことになるので、身飾品用留め具３は、チェーン２の両端を更に強固に接続することができる。
【００３５】
（４）Ｏリング４３の大部分となる外環部４３Ａは、雌部材４に埋没させることによって、雌部材４に固定されているので、雌部材４にＯリング４３を強固に固定することができる。したがって、雌部材４のＯリング４３は、雄部材５の棒状体５３の挿抜を繰り返しても雌部材４から外れにくくなるので、身飾品用留め具３は、チェーン２の両端を安定して接続または分離することができる。
【００３６】
なお、本考案は前記実施形態に限定されるものではなく、本考案の目的を達成できる範囲での変形、改良等は本考案に含まれるものである。
例えば、前記実施形態では、弾性体は、円環状に形成されるとともに、円環部４１の内縁の全周に亘って設けられたＯリング４３を採用しているが、円環状でなくてもよく、円環部４１の内縁の全周に亘って設けられていなくてもよい。要するに、雌部材は、自己の穴部を閉塞することなく自己の内縁の少なくとも一部に固定された弾性体を備えていればよい。
【００３７】
図１０は、本考案の変形例に係る雌部材の平面図である。
雌部材４Ａは、図１０に示すように、前記実施形態における雌部材４と同様にチェーン２の一端に取り付けられる身飾品用留め具３である。
この雌部材４Ａは、円環状に形成された金属製の円環部４１Ａと、円環部４１Ａの外周面の一部に円環部４１Ａと一体的に形成されるとともに、チェーン２（図１参照）の一端に取り付けられる略円環状の取付部４２と、球状に形成されるとともに、円環部４１Ａの内縁の４箇所に設けられたゴム製の球体４４とを備えている。
これによれば、雄部材５は、球体４４の弾性力に抗して雌部材４Ａの穴部に圧入することによって、雌部材４Ａと篏合する棒状体５３を備えているので、使用者は、雌部材４Ａの穴部に雄部材５を圧入するだけでチェーン２の両端を容易に接続することができる。また、雄部材５は、雌部材４Ａの穴部に圧入されているので、この雄部材５を圧入方向と反対側に引き抜くことによって、使用者は、チェーン２の両端を容易に分離することができる。したがって、使用者は、チェーン２の両端を容易に接続または分離することができる。
【産業上の利用可能性】
【００３８】
以上のように、本考案は、紐状体の両端を接続する身飾品用留め具に広く適用できる。
【符号の説明】
【００３９】
１        ブレスレット（身飾品）
２        チェーン（紐状体）
３        身飾品用留め具
４        雌部材
５        雄部材
４１      円環部
４２      取付部
４３      Ｏリング（弾性体）
４３Ａ    外環部
４３Ｂ    内環部
５１      円盤部
５２      取付部
５３      棒状体
５３Ａ    本体部
５３Ｂ    縮径部
【図１】
0003212656.tif 000003
【図２】
0003212656.tif 000004
【図３】
0003212656.tif 000005
【図４】
0003212656.tif 000006
【図５】
0003212656.tif 000007
【図６】
0003212656.tif 000008
【図７】
0003212656.tif 000009
【図８】
0003212656.tif 000010
【図９】
0003212656.tif 000011
【図１０】
0003212656.tif 000012